(57)【要約】【課題】ビデオデッキにおける再生時、例えば特殊再生時（高速再生、静止画再生、スロー再生等）に水平同期信号が不安定になると、映像信号を検出することができないという課題があった。【解決手段】外部モード時に信号制御回路３０の回路制御に基づいてクロマＩＣ１４が出力する水平同期信号のマイコン１５への入力を遮断し、フライバックトランス１８が出力する常時Ｈレベルに制御されたヒータ巻線信号をマイコン１５に入力させる。そして、マイコン１５にてこのヒータ巻線信号に基づいてＳＤ判定を実行可能とすることによって、安定してＳＤ信号をクロマＩＣ１４に入力可能とする。これによって、クロマＩＣ１４は外部モード時に常時基準発振周波数をカラーバースト信号周波数の３．５８ＭＨｚに固定することが可能となるため、色消えを防止することが可能になる。【選択図】  図８
2004260276.tif 000002
【特許請求の範囲】
【請求項１】
クロマＩＣにて生成される所定周期にてＨ／Ｌレベルに遷移する水平同期信号をマイコンの水平同期信号入力端子にて入力するとともに、同マイコンにて入力した水平同期信号のＨレベル状態に基づき映像信号の有無状態を判定する際に、上記映像信号が有ると判定した場合、ＳＤ信号を上記クロマＩＣに対して出力するとともに、同クロマＩＣにて同ＳＤ信号を入力した場合、カラーバースト信号周波数に同期させるため基準発振周波数を３．５８ＭＨｚに固定し、同ＳＤ信号を入力しない場合、チューニング動作でセンター周波数に引き込むために同基準発振周波数をフリーラン発振させるテレビジョンにおいて、
上記マイコンは、
アノード端子が上記クロマＩＣ側に接続されるとともに、カソード端子が同マイコン側に接続された第１ダイオードを介して上記水平同期信号入力端子にて上記水平同期信号を入力可能であり、
アノード端子がフライバックトランス側に接続されるとともに、カソード端子が上記第１ダイオードのカソード側に接続された第２ダイオードを介して上記水平同期信号入力端子にて同フライバックトランスが出力するＣＲＴを暖機するための常時Ｈレベルのヒータ巻線信号を入力可能であり、
接続するビデオデッキから上記映像信号としてビデオ信号を入力するにあたり、外部モードが選択されると、配設された外部モード信号出力端子から外部モード信号を出力し、
エミッタ側が接地され、上記第２ダイオードのアノード側に接続されたコレクタ側にて上記ヒータ巻線信号を入力可能な第１トランジスタと、
ベース側に上記外部モード信号が入力され、エミッタ側が接地され、上記第１ダイオードのアノード側に接続されたコレクタ側にて上記水平同期信号を入力可能な第２トランジスタと、
ベース側に上記外部モード信号が入力され、エミッタ側が接地され、コレクタ側が所定電圧を出力する電源に接続されるとともに上記第１トランジスタのベース側に接続された第３トランジスタとを有し、
上記マイコンから上記外部モード信号が出力された場合、上記第２トランジスタをオンさせて上記コレクタ側にて入力する水平同期信号をエミッタ側に短絡し、
上記第３トランジスタをオンさせて上記第１トランジスタを短絡させることにより、上記ヒータ巻線信号を上記第２ダイオードを介して上記マイコンに入力させて同ヒータ巻線信号に基づいて映像信号の有無状態を判定させるとともに、
上記マイコンから上記外部モード信号が出力されない場合、上記第３トランジスタを短絡させて上記第１トランジスタをオンさせることにより、上記ヒータ巻線信号を上記第１トランジスタに対して導通させ、
上記第２トランジスタを短絡させ上記水平同期信号を上記マイコンに入力させて同水平同期信号に基づいて映像信号の有無状態を判定させる信号制御回路を具備することを特徴とするテレビジョン。
【請求項２】
水平同期信号を入力し、同水平同期信号に基づいて映像信号の有無状態を検出する映像信号検出手段と、
上記映像信号がビデオデッキから出力されたビデオテープの再生信号の場合に外部モードを設定するモード設定手段と、
上記モード設定手段にて外部モードが設定された場合、上記水平同期信号の上記映像信号検出手段に対する入力を遮断するとともに、上記映像信号を検出可能な所定の制御信号を上記映像信号検出手段に入力させることにより、同制御信号に基づいて同映像信号検出手段に上記映像信号を有状態として検出させる信号制御手段とを具備することを特徴とする映像信号検出制御装置。
【請求項３】
上記モード設定手段は、上記外部モード又はそれ以外のモードを選択可能なモード選択画面を表示する選択画面表示手段を有し、同選択画面表示手段にて同外部モードが選択された場合に当該外部モードを設定することを特徴とする上記請求項２に記載の映像信号検出制御装置。
【請求項４】
上記信号制御手段は、上記外部モードが選択された場合にオン状態に遷移するスイッチ手段を有し、同スイッチ手段のオン状態への遷移に基づいて上記制御信号を上記映像信号検出手段に入力させることを特徴とする上記請求項２または請求項３のいずれかに記載の映像信号検出制御装置。
【請求項５】
上記信号制御手段は、テレビジョンの内部回路にて常時Ｈレベルに制御される所定の信号を上記制御信号として上記映像信号検出手段に入力させることを特徴とする上記請求項２〜請求項４のいずれかに記載の映像信号検出制御装置。
【請求項６】
上記信号制御手段は、上記制御信号としてフライバックトランスがディスプレイを暖機するために出力するヒータ巻線信号を上記映像信号検出手段に入力させることを特徴とする上記請求項５に記載の映像信号検出制御装置。
【請求項７】
上記モード設定手段は、上記再生信号が特殊再生信号の場合に、上記外部モードを設定することを特徴とする上記請求項２〜請求項６のいずれかに記載の映像信号検出制御装置。
【請求項８】
水平同期信号を入力し、同水平同期信号に基づいて映像信号の有無状態を検出する映像信号検出工程と、
上記映像信号がビデオデッキから出力されたビデオテープの再生信号の場合に外部モードを設定するモード設定工程と、
上記モード設定工程にて外部モードが設定された場合、上記水平同期信号の上記映像信号検出工程に対する入力を遮断するとともに、上記映像信号を検出可能な所定の制御信号を上記映像信号検出工程に入力させることにより、同制御信号に基づいて同映像信号検出工程に上記映像信号を有状態として検出させる信号制御工程とを具備することを特徴とする映像信号検出制御方法。
【発明の詳細な説明】
【０００１】
【発明の属する技術分野】
本発明は、テレビジョン、映像信号検出制御装置および映像信号検出制御方法に関し、特に、接続されるビデオデッキから出力される映像信号に含まれる水平同期信号に基づいて同映像信号の有無状態を検出（ＳＤ検出）するテレビジョン、映像信号検出制御装置および映像信号検出制御方法に関する。
【０００２】
【従来の技術】
従来、この種の映像信号検出制御装置は、カウントダウン方式の垂直同期処理装置にＶＴＲの特殊再生時にＶＴＲから出力される擬似同期信号を入力可能な入力端子を設け、擬似同期信号を直接処理して擬似同期信号を作成して、カウントダウン方式の垂直同期処理装置で作成される垂直同期信号と、擬似垂直同期信号の２つの出力信号を切り換える切換回路を設け、ＶＴＲの特殊再生時に、擬似垂直同期信号を直接処理した信号を垂直同期信号としている（例えば、特許文献１を参照。）。
【０００３】
【特許文献１】
特開平８−１９１４２９号公報
【０００４】
【発明が解決しようとする課題】
上述した従来の映像信号検出制御装置は、外部モード時に垂直同期信号を擬似垂直同期信号に切り換える制御技術を開示するものである。従って、水平同期信号に基づいて映像信号を検出する（ステーションデテクト）場合、例えば、ビデオデッキにおける再生時、例えば特殊再生時（高速再生、静止画再生、スロー再生等）に水平同期信号が不安定になると、映像信号を検出することができないという課題があった。
【０００５】
本発明は、上記課題にかんがみてなされたもので、外部モード時に安定して映像信号を検出することが可能なテレビジョン、映像信号検出制御装置および映像信号検出制御方法の提供を目的とする。
【０００６】
【課題を解決するための手段】
上記目的を達成するため、請求項１にかかる発明は、クロマＩＣにて生成される所定周期にてＨ／Ｌレベルに遷移する水平同期信号をマイコンの水平同期信号入力端子にて入力するとともに、同マイコンにて入力した水平同期信号のＨレベル状態に基づき映像信号の有無状態を判定する際に、上記映像信号が有ると判定した場合、ＳＤ信号を上記クロマＩＣに対して出力するとともに、同クロマＩＣにて同ＳＤ信号を入力した場合、カラーバースト信号周波数に同期させるため基準発振周波数を３．５８ＭＨｚに固定し、同ＳＤ信号を入力しない場合、チューニング動作でセンター周波数に引き込むために同基準発振周波数をフリーラン発振させるテレビジョンにおいて、上記マイコンは、アノード端子が上記クロマＩＣ側に接続されるとともに、カソード端子が同マイコン側に接続された第１ダイオードを介して上記水平同期信号入力端子にて上記水平同期信号を入力可能であり、アノード端子がフライバックトランス側に接続されるとともに、カソード端子が上記第１ダイオードのカソード側に接続された第２ダイオードを介して上記水平同期信号入力端子にて同フライバックトランスが出力するＣＲＴを暖機するための常時Ｈレベルのヒータ巻線信号を入力可能であり、接続するビデオデッキから上記映像信号としてビデオ信号を入力するにあたり、外部モードが選択されると、配設された外部モード信号出力端子から外部モード信号を出力し、エミッタ側が接地され、上記第２ダイオードのアノード側に接続されたコレクタ側にて上記ヒータ巻線信号を入力可能な第１トランジスタと、ベース側に上記外部モード信号が入力され、エミッタ側が接地され、上記第１ダイオードのアノード側に接続されたコレクタ側にて上記水平同期信号を入力可能な第２トランジスタと、ベース側に上記外部モード信号が入力され、エミッタ側が接地され、コレクタ側が所定電圧を出力する電源に接続されるとともに上記第１トランジスタのベース側に接続された第３トランジスタとを有し、上記マイコンから上記外部モード信号が出力された場合、上記第２トランジスタをオンさせて上記コレクタ側にて入力する水平同期信号をエミッタ側に短絡し、上記第３トランジスタをオンさせて上記第１トランジスタを短絡させることにより、上記ヒータ巻線信号を上記第２ダイオードを介して上記マイコンに入力させて同ヒータ巻線信号に基づいて映像信号の有無状態を判定させるとともに、上記マイコンから上記外部モード信号が出力されない場合、上記第３トランジスタを短絡させて上記第１トランジスタをオンさせることにより、上記ヒータ巻線信号を上記第１トランジスタに対して導通させ、上記第２トランジスタを短絡させ上記水平同期信号を上記マイコンに入力させて同水平同期信号に基づいて映像信号の有無状態を判定させる信号制御回路を具備する構成としてある。
【０００７】
従来、テレビジョンでは、クロマＩＣにて生成される所定周期にてＨ／Ｌレベルに遷移する水平同期信号をマイコンの水平同期信号入力端子にて入力するとともに、同マイコンにて入力した水平同期信号に基づき映像信号の有無状態を判定する。この場合、マイコンは水平同期信号が所定周期にてＨレベルに遷移した場合に映像信号が有ると判定してＳＤ信号を上記クロマＩＣに対して出力する。そして、クロマＩＣはＳＤ信号を入力した場合、カラーバースト信号周波数に同期させるために基準発振周波数を３．５８ＭＨｚに固定するとともに、ＳＤ信号を入力しない場合に、チューニング動作でセンター周波数に引き込むため、同基準発振周波数をフリーラン発振させる。このとき、基準発振周波数に基づいて色復調されることになる。
【０００８】
かかる構成において、ビデオデッキから出力される映像信号（ビデオ信号）を再生する場合、ビデオデッキに記録される映像信号は水平同期信号に基づいてチューニング動作が完了したテレビジョン放送信号が対象であるため、ビデオデッキから出力される映像信号には水平同期信号が含まれている。従って、マイコンはこの映像信号の水平同期信号に基づいて映像信号の有無が判定してＳＤ信号を出力し、クロマＩＣはこのＳＤ信号に基づいて基準発振周波数を３．５８ＭＨｚに固定する。これによって基準発振周波数がカラーバースト信号周波数と同期するため、正確な色復調が行われる。しかし、ビデオデッキから出力される映像信号が乱れると、ＳＤ信号が振れるので、基準発振周波数がフリーラン発振状態になってしまうことがあり得る。このとき、カラーバースト信号周波数と同期していないため正確な色復調ができない。すなわち、再生画像が色消え状態となってしまう。
【０００９】
そこで、上記のように構成した請求項１にかかる発明においては、アノード端子が上記クロマＩＣ側に接続されるとともに、カソード端子が同マイコン側に接続された第１ダイオードを介して、マイコンの水平同期信号入力端子にて水平同期信号を入力可能にする。また、アノード端子がフライバックトランス側に接続されるとともに、カソード端子が第１ダイオードのカソード側に接続された第２ダイオードを介して、マイコンの水平同期信号入力端子にてフライバックトランスが出力するＣＲＴを暖機するための常時Ｈレベルのヒータ巻線信号を入力可能にする。そして、当該テレビジョンに接続されるビデオデッキから映像信号としてビデオ信号を入力するにあたり、外部モードが選択されると、マイコンに配設された外部モード信号出力端子から外部モード信号を出力する。
【００１０】
ここで、信号制御回路をエミッタ側が接地され、第２ダイオードのアノード側に接続されたコレクタ側にてヒータ巻線信号を入力可能な第１トランジスタと、ベース側に外部モード信号が入力され、エミッタ側が接地され、第１ダイオードのアノード側に接続されたコレクタ側にて水平同期信号を入力可能な第２トランジスタと、ベース側に上記外部モード信号が入力され、エミッタ側が接地され、コレクタ側が所定電圧を出力する電源および第２トランジスタのベース側に接続された第３トランジスタとから構成する。かかる信号制御回路は、マイコンから外部モード信号が出力された場合、第２トランジスタをオンさせてコレクタ側にて入力する水平同期信号をエミッタ側に短絡する。これによって、外部モード時はマイコンに対する水平同期信号の入力が遮断される。また、信号制御回路は、マイコンから外部モード信号が出力された場合、第３トランジスタをオンさせて第１トランジスタを短絡させることにより、ヒータ巻線信号を第２ダイオードを介してマイコンに入力させて同ヒータ巻線信号に基づいて映像信号の有無状態を判定させる。
【００１１】
すなわち、常時Ｈレベルのヒータ巻線信号に基づいてこの判定を行わせることによって、ＳＤ信号を安定して出力することが可能になる。そして、このＳＤ信号に対応して色復調が行われるので、ビデオデッキの再生時において、安定した色復調を行うことが可能になる。一方、信号制御回路はマイコンから上記外部モード信号が出力されない場合、第３トランジスタを短絡させて第１トランジスタをオンさせることにより、ヒータ巻線信号を第１トランジスタに対して導通させる。すなわち、ヒータ巻線信号のマイコンに対する入力を遮断し、第２トランジスタを短絡させ水平同期信号をマイコンに入力させることによって、水平同期信号に基づいて映像信号の有無状態を判定させる。すなわち、外部モードでない場合は、通常のＲＦ入力に基づいた基準発振周波数の制御を行うことを可能にする。
【００１２】
上述した具体的構成に基づくテレビジョンにより、外部モード時における色復調を安定させることを可能にする。一方、外部モード時の色復調を安定させるという技術的観点においては、外部モード時に水平同期信号の代わりに他の安定した信号に基づいて映像信号の有無を検出させる映像信号検出制御装置としても発明が成立することは言うまでもない。
そこで、請求項２にかかる発明は、水平同期信号を入力し、同水平同期信号に基づいて映像信号の有無状態を検出する映像信号検出手段と、上記映像信号がビデオデッキから出力されたビデオテープの再生信号の場合に外部モードを設定するモード設定手段と、上記モード設定手段にて外部モードが設定された場合、上記水平同期信号の上記映像信号検出手段に対する入力を遮断するとともに、上記映像信号を検出可能な所定の制御信号を上記映像信号検出手段に入力させることにより、同制御信号に基づいて同映像信号検出手段に上記映像信号を有状態として検出させる信号制御手段とを具備する構成としてある。
【００１３】
上記のように構成した請求項２にかかる発明においては、映像信号検出手段にて水平同期信号を入力し、映像信号検出手段にてこの水平同期信号に基づき映像信号の有無状態を検出する。このとき、モード設定手段にて映像信号がビデオデッキから出力されたビデオテープの再生信号の場合である外部モードが設定されると、信号制御手段は、水平同期信号の映像信号検出手段に対する入力を遮断しその代わりに映像信号を検出可能な所定の制御信号を映像信号検出手段に入力させる。そして、この制御信号によって映像信号検出手段に映像信号を有状態として検出させる。
【００１４】
さらに、請求項３にかかる発明は、上記請求項２に記載の映像信号検出制御装置において、上記モード設定手段は、上記外部モード又はそれ以外のモードを選択可能なモード選択画面を表示する選択画面表示手段を有し、同選択画面表示手段にて同外部モードが選択された場合に当該外部モードを設定する構成としてある。
上記のように構成した請求項３にかかる発明においては、モード設定手段に選択画面表示手段を備えさせ、外部モード又はそれ以外のモードを選択可能なモード選択画面を表示可能にする。そして、モード設定手段ではこの選択画面表示手段にて外部モードが選択された場合に当該外部モードを設定する。
【００１５】
さらに、請求項４にかかる発明は、上記請求項２または請求項３のいずれかに記載の映像信号検出制御装置において、上記信号制御手段は、上記外部モードが選択された場合にオン状態に遷移するスイッチ手段を有し、同スイッチ手段のオン状態への遷移に基づいて上記制御信号を上記映像信号検出手段に入力させる構成としてある。
上記のように構成した請求項４にかかる発明においては、信号制御手段にスイッチ手段を備えさせる。このスイッチ手段は外部モードが選択された場合にオン状態に遷移し、同スイッチ手段のオン状態への遷移に基づいて制御信号を映像信号検出手段に入力させる。
【００１６】
さらに、請求項５にかかる発明は、上記請求項２〜請求項４のいずれかに記載の映像信号検出制御装置において、上記信号制御手段は、テレビジョンの内部回路にて常時Ｈレベルに制御される所定の信号を上記制御信号として上記映像信号検出手段に入力させる構成としてある。
上記のように構成した請求項５にかかる発明において、信号制御手段はテレビジョンの内部回路にて常時Ｈレベルに制御される所定の信号を制御信号として映像信号検出手段に入力する。
【００１７】
さらに、請求項６にかかる発明は、上記請求項５に記載の映像信号検出制御装置において、上記信号制御手段は、上記制御信号としてフライバックトランスがディスプレイを暖機するために出力するヒータ巻線信号を上記映像信号検出手段に入力させる構成としてある。
上記のように構成した請求項６にかかる発明において、信号制御手段は、制御信号としてフライバックトランスがディスプレイを暖機するために出力するヒータ巻線信号を映像信号検出手段に入力する。
【００１８】
さらに、請求項７にかかる発明は、上記請求項２〜請求項６のいずれかに記載の映像信号検出制御装置において、上記モード設定手段は、上記再生信号が特殊再生信号の場合に、上記外部モードを設定する構成としてある。
上記のように構成した請求項７にかかる発明において、モード設定手段は、ビデオデッキの再生信号が特殊再生信号の場合に外部モードを設定する。この特殊再生信号とは、早送り再生や巻き戻し再生等、再生信号の信号状態が不安定になりやすい信号である。すなわち、特殊再生信号時においては、水平同期信号の状態が乱れ、映像信号を検出できなくなり易い。かかる場合に、水平同期信号の代わりに上述した制御信号を映像信号検出手段に入力させる。
【００１９】
上述してきた外部モードの際に水平同期信号とは異なり、必ず映像信号を有状態に検出可能な所定の制御信号に基づいた映像信号の有無判定を行わせる手法は必ずしも実体のある装置に限られる必要はなく、その方法としても機能することは容易に理解できる。
このため、請求項８にかかる発明は、水平同期信号を入力し、同水平同期信号に基づいて映像信号の有無状態を検出する映像信号検出工程と、上記映像信号がビデオデッキから出力されたビデオテープの再生信号の場合に外部モードを設定するモード設定工程と、上記モード設定工程にて外部モードが設定された場合、上記水平同期信号の上記映像信号検出工程に対する入力を遮断するとともに、上記映像信号を検出可能な所定の制御信号を上記映像信号検出工程に入力させることにより、同制御信号に基づいて同映像信号検出工程に上記映像信号を有状態として検出させる信号制御工程とを具備する構成としてある。
すなわち、必ずしも実体のある装置に限らず、その方法としても有効であることに相違はない。
【００２０】
【発明の効果】
以上説明したように本発明は、外部モード時にて常時Ｈレベルのヒータ巻線信号に基づいてＳＤ判定を行わせ、マイコンからクロマＩＣにＳＤ信号を安定して出力可能にすることにより、ビデオデッキの再生時における安定した色復調を実現することが可能なテレビジョンを提供することができる。
また、請求項２にかかる発明によれば、外部モード時においても安定して映像信号を有状態として検出することが可能な映像信号検出制御装置を提供することができる。
さらに、請求項３にかかる発明によれば、外部モードの具体的設定方法を提示することができる。
さらに、請求項４にかかる発明によれば、簡易な構成で制御信号の入力制御を実現することが可能になる。
さらに、請求項５にかかる発明によれば、新たに制御信号を生成する回路が不要となるため、装置構成を簡素化することができる。
さらに、請求項６にかかる発明によれば、制御信号に採用して好適な信号の一例を提示することができる。
さらに、請求項７にかかる発明によれば、水平同期信号の代わりに制御信号を入力させて好適な状況の一例を提示することができる。
さらに、請求項８にかかる発明によれば、外部モード時においても安定して映像信号を有状態として検出することが可能な映像信号検出制御方法を提供することができる。
【００２１】
【発明の実施の形態】
ここでは、下記の順序に従って本発明の実施形態について説明する。
（１）テレビジョンの構成：
（２）ＳＤ信号出力処理の処理内容：
（３）本発明にかかるマイコン等の接続態様：
（４）信号制御回路の構成：
（５）まとめ：
【００２２】
（１）テレビジョンの構成：
図１は、本発明にかかるテレビジョンの内部構成の要部をブロック図にて示しており、図２は、同図１のクロマＩＣの回路構成をブロック図にて示している。図において、テレビジョン１０は、チューナ１１とＳＡＷフィルタ１２とバッファ１３とクロマＩＣ１４とマイコン１５とを有し、チューナ１１とクロマＩＣ１４とマイコン１５はＩＩＣバス１６を介して相互に通信可能に接続されている。かかる場合、チューナ１１は、アンテナを介してテレビ放送帯域に対応した所望周波数の信号を受信するとともに、受信した信号を高周波増幅し、局部発振器による発振信号と混合することにより５８．７５ＭＨｚの中間周波信号に変換してＳＡＷフィルタ１２に出力する。
【００２３】
本実施形態におけるチューナ１１は、いわゆるＰＬＬを利用した周波数シンセサイザ方式の選局機構を採用しており、基準信号を固定分周器を介して周波数変換した信号と、局部発振器による発振信号を可変分周器を介して周波数変換した信号とを位相検波する。そして、これらの位相差を減じるように局部発振器による発振信号をフィードバック制御し、これらの位相差がなくなったときに安定した局部発振を得るＰＬＬを形成している。ここで、上記可変分周器による分周は後述するマイコン５０がチャンネルに応じて出力する信号によって制御され、所定のチャンネルに応じた分周において上記被比較信号の位相差がなくなることによって所定チャンネルのチューニング動作が終了する。
【００２４】
マイコン１５は図示しない水平同期信号入力端子にてクロマＩＣ１４が検出した水平同期信号を入力し、この水平同期信号に基づいて映像信号の有無を判定するＳＤ判定を実行可能になっている。そして、ＳＤ判定に基づいてクロマＩＣ１４にＳＤ信号を出力する。このＳＤ信号出力処理については後述する。また、本実施形態におけるマイコン１５はＣＲＴ１９に高電圧を供給するフライバックトランス１８がＣＲＴ１９を暖機するために出力するヒータ巻線信号を入力可能となっている。そして、リモコン１７の操作や図示しない操作パネルによる操作により、テレビジョン１０が外部モード（ビデオデッキ２０から出力される映像信号、すなわちビデオ信号の映像を再生するモード）に設定された場合にこのフライバンクトランス１８から入力したヒータ巻線信号によってＳＤ判定を行う。
【００２５】
チューナ１１から出力された中間周波信号は、ＳＡＷフィルタ１２を介してクロマＩＣ１４に入力される。このクロマＩＣ１４は、概略、図２に示すように構成されており、各種の信号処理を行っている。同図において、クロマＩＣ１４はＶＩＦ回路１４ａと、信号処理回路１４ｂとを備えており、同信号処理回路１４ｂは、ＰＬＬ回路１４ｂ１と色復調回路１４ｂ２とを含む構成となっている。ここで、色復調回路１４ｂ２は、色差信号を復調するための回路であり、ＰＬＬ回路１４ｂ１は、当該復調を行うための副搬送波を出力する回路である。
【００２６】
クロマＩＣ１４において、ＳＡＷフィルタ１２を介して入力した中間周波信号は、中間周波増幅された後に映像検波され、その検波出力に基づいて所定の色復調処理が施されてＣＲＴ１９に対してＲＧＢ信号が出力される。このため、ＶＩＦ回路１４ａには上記ＳＡＷフィルタ１２によって理想的な周波数帯域特性に成形された中間周波信号が入力される。そして、同ＶＩＦ回路１４ａにて同中間周波信号に対して所定の増幅がなされるとともに、映像検波が施されて合成映像信号が取り出される。
【００２７】
この合成映像信号は、上記信号処理回路１４ｂのＰＬＬ回路１４ｂ１が備える帯域増幅回路１４ｂ１１に入力される。帯域増幅回路１４ｂ１１は入力される合成映像信号から搬送色信号とカラーバースト信号とを分離するようになっており、合成映像信号から分離された搬送色信号は、色差信号を取り出すための色復調回路１４ｂ２に入力される。また、合成映像信号から分離されたカラーバースト信号は、上記ＰＬＬ回路１４ｂ１内のバースト増幅回路１４ｂ１２に入力され、所定の増幅がなされるとともにＡＰＣ回路１４ｂ１３に入力され、当該ＰＬＬにおける基準信号となる。
【００２８】
このＰＬＬ回路１４ｂ１内にはさらにＶＣＯ回路１４ｂ１４を備えており、同ＶＣＯ回路１４ｂ１４は、上記ＡＰＣ回路１４ｂ１３および色復調回路１４ｂ２と接続されるとともに、発振器として固有振動数が約３．５８ＭＨｚの水晶振動子Ｘが接続されている。ＶＣＯ回路１４ｂ１４は入力されるＤＣ電圧に応じて水晶振動子Ｘの発振を制御する回路であり、その発振出力は上記ＡＰＣ回路１４ｂ１３および色復調回路１４ｂ２に入力され、また、バッファ１３を介して上記チューナ１１に対しても入力される。
【００２９】
ＡＰＣ回路１４ｂ１３は、上記バースト増幅回路１４ｂ１２の出力信号と上記ＶＣＯ回路１４ｂ１４の出力信号との位相を比較する回路であり、両者の差に応じたＤＣ電圧を出力するようになっている。このようにしてカラーバースト信号との位相比較を行うことにより発振された水晶振動子Ｘの出力は、上記色復調回路３２に対して副搬送波として出力される。ここで、色復調回路３２は同副搬送波を使用して搬送色信号を同期検波する回路であり、最終的にはＲＧＢ出力を出力するようになっている。
【００３０】
なお、本実施形態においては、このＡＰＣ回路１４ｂ１３にマイコン１５が出力するＳＤ（ステーションデテクト）信号が入力されており、このＳＤ信号が入力された場合（Ｈレベルの場合）には、この比較動作を停止し、出力を３．５８ＭＨｚに固定する。一方、ＳＤ信号が入力されない場合（Ｌレベルの場合）には、この比較動作を実行してフリーラン発振を実行する構成となっている。
【００３１】
このように、クロマＩＣ１４は、水晶振動子Ｘを発振させた出力をチューナ１１の基準信号および色差信号復調のための副搬送波として使用する。なお、このクロマＩＣ１４はこのような色差信号復調の他、音声信号の復調や水平および垂直同期信号の分離等も行っており、ＣＲＴ１９において水平・垂直ドライブを行うために出力する他、上述したＳＤ判定を実行させるために水平同期信号をマイコン１５に対して出力している。ここで、マイコン１５がクロマＩＣ１４に対してＳＤ信号を出力する際に実行するＳＤ信号出力処理について説明する。
【００３２】
（２）ＳＤ信号出力処理の処理内容：
図３は、マイコン１５にて実行されるＳＤ信号出力処理の処理内容を示したフローチャートである。また、図４は、クロマＩＣ１４から出力される水平同期信号の信号構成を示した構成図である。図において、先ず最初に水平同期信号入力端子に入力される信号レベルを取得し（ステップＳ１０５）、同入力した水平同期信号がＨレベルであるか否かを判定する（ステップＳ１１０）。このステップＳ１１０にてＬレベルと判定した場合は、所定期間経過後に（ステップＳ１１５）、再度、ステップＳ１０５にて水平同期信号の信号レベルを取得する。一方、ステップＳ１１０にてＨレベルと判定した場合は、所定期間経過後に（ステップＳ１２０）、さらに水平同期信号入力端子に入力される信号レベルを取得し（ステップＳ１２５）、同取得した信号レベルがＨレベルであるか否かを判定する（ステップＳ１３０）。
【００３３】
ここで、上述した所定期間は水平同期信号の周期ｔ１に依存する。すなわち、水平同期信号は周期ｔ１にてＨ／Ｌレベルに遷移するため、周期ｔ１毎にＨレベルに遷移していれば、正常な水平同期信号であると判断できる。この所定周期ｔ１におけるＨレベルの水平同期信号を所定回数確認できた場合（ステップＳ１３５）、ＳＤ（ステーションデテクト）検出して（ステップＳ１４０）、クロマＩＣ１４に対して出力するＳＤ信号をオンにする（ステップＳ１４５）。一方、ステップＳ１１５にて所定期間経過しても水平同期信号の信号レベルがＨレベルが検知できない場合およびステップＳ１３０にて水平同期信号の信号レベルがＬレベルと判定した場合はＳＤ信号をオフにする（ステップＳ１５０）。
【００３４】
次に、マイコン１５から出力されたＳＤ信号を入力したクロマＩＣ１４の処理について説明する。ＳＤ信号はクロマＩＣ１４のＡＰＣ回路１４ｂ１３に入力されるので、このＡＰＣ回路１４ｂ１３の動作フローを図５のフローチャートに示す。同図において、ＳＤ信号を入力するとともに（ステップＳ２０５）、ＳＤ信号がオンしているか否かを判定する（ステップＳ２１０）。ここで、ＳＤ信号がオンしていると判定した場合は位相比較動作を停止して基準発振周波数を３．５８ＭＨｚに固定する（ステップＳ２１５）。一方、ステップＳ２１０にてＳＤ信号がオフしている判定した場合は基準発振周波数をフリーラン発振させて位相比較動作を実行する（ステップＳ２２０）。
【００３５】
ここで、ビデオデッキ２０から出力される映像信号（ビデオ信号）を再生する場合、ビデオデッキ２０に記録される映像信号は水平同期信号に基づいてチューニング動作が完了したテレビジョン放送信号が対象であるため、ビデオデッキ２０から出力される映像信号には水平同期信号が含まれている。従って、マイコン１５はこの映像信号の水平同期信号に基づいて映像信号の有無が判定してクロマＩＣ１４にＳＤ信号を出力し、クロマＩＣ１４はこのＳＤ信号に基づいて基準発振周波数を３．５８ＭＨｚに固定する。これによって基準発振周波数がカラーバースト信号周波数と同期するため、色復調回路１４ｂ２にて正確な色復調が行われる。しかし、ビデオデッキ２０から出力される映像信号が乱れると、マイコン１５に対する水平同期信号の入力が不安定になり、同マイコン１５にて正確にＳＤ判定ができなくなる。
【００３６】
このためクロマＩＣ１４が入力するＳＤ信号がオン／オフに振れる。ＳＤ信号がオフになった場合、テレビジョン１０はチューニング動作にてセンター周波数に引き込むため、基準発振周波数を３．５８ＭＨｚに固定しないで、フリーラン発振させる。このとき、基準発振周波数がカラーバースト信号周波数と同期しなくなるため、色復調回路１４ｂ２にて正確な色復調ができなくなる。すなわち、ビデオデッキ２０から出力される映像信号を再生する場合は、チューニング動作のためにフリーラン発振を行う必要はないものの、ＳＤ信号の状態を基準にして基準発振周波数の固定もしくはフリーラン発振を規定しているため、ＳＤ信号がオフしてしまうと、基準発振周波数がカラーバースト信号周波数に同期しないので、再生映像が色消え状態となってしまう。そこで、本実施形態においては、ビデオデッキ２０が出力する映像信号を再生する場合、マイコン１５に水平同期信号とは異なる安定した所定の制御信号を入力させ、この制御信号に基づいてＳＤ判定を行わせることによって、安定してＳＤ信号をクロマＩＣ１４に出力可能となり、ビデオデッキ２０が出力する映像信号の再生時に色消えが発生してしまうことを防止する。
【００３７】
（３）本発明にかかるマイコン等の接続態様：
かかる機能を実現可能なマイコン１５とクロマＩＣ１４とフライバックトランス１８との接続態様を図６に示す。また、図７は、フライバックトランス１８が出力するヒータ巻線信号の信号構成を示した構成図である。図において、マイコン１５とクロマＩＣ１４とフライバックトランス１８とを信号制御回路３０を介して接続する。そして、フライバックトランス１８のヒータ巻線信号出力端子１８ａから出力されるヒータ巻線信号を信号制御回路３０に入力するとともに、クロマＩＣ１４が水平同期信号出力端子１４ｃから出力する水平同期信号を信号制御回路３０に入力する。
【００３８】
このヒータ巻線信号はＣＲＴ１９を暖機するための信号であり、常時オン状態、すなわちＨレベルに制御されている。従って、マイコン１５は常にＳＤ判定を行いＳＤ信号を出力することが可能となる。信号制御回路３０は、リモコン１５にて外部モードが設定されるか否かをマイコン１５を介してこの設定を検知し、外部モードを検知した場合は、フライバックトランス１８が出力するヒータ巻線信号を水平同期信号入力端子１５ａに入力させ、一方、外部モードを検知しない場合は、クロマＩＣ１４が出力する水平同期信号を水平同期信号入力端子１５ａに入力させる。これによって、ビデオデッキ２０が出力する映像信号を正確に色復調して映出することが可能になる。
【００３９】
（４）信号制御回路の構成：
図８は、信号制御回路３０の具体的構成を示した構成図である。また、図９は、同信号制御回路３０の動作フローを示したフローチャートである。図において、信号制御回路３０は概略、第１ダイオード３１と、第２ダイオード３２と、第１トランジスタ３４と、第２トランジスタ３５と、第３トランジスタ３３とから構成されている。ここで、マイコン１５は、アノード端子が抵抗Ｒ１を介してクロマＩＣ１４側に接続されるとともに、カソード端子がマイコン１５側に接続された第１ダイオード３１を介して、マイコン１５の水平同期信号入力端子１５ａにてクロマＩＣ１４の水平同期信号出力端子１４ｃから出力される水平同期信号を入力可能になっている。このとき、第１ダイオード３１から出力される水平同期信号の信号電圧レベルは抵抗Ｒ２および抵抗Ｒ３にて分圧されるとともに、同水平同期信号はコンデンサＣ１にて信号波形が形成されている。
【００４０】
また、マイコン１５は、アノード端子がフライバックトランス１８側に接続されるとともに、カソード端子が第１ダイオード３１のカソード側に接続された第２ダイオード３２を介して、マイコン１５の水平同期信号入力端子１５ａにてフライバックトランス１８のヒータ巻線信号１８ａから出力されるヒータ巻線信号を入力可能になっている。ここで、ヒータ巻線信号は抵抗Ｒ４〜Ｒ８を介して第２ダイオード３２に入力され、このヒータ巻線信号の信号電圧レベルは当該抵抗Ｒ４〜Ｒ８によって適切な信号電圧レベルに調整される。また、マイコン１５は、当該テレビジョン１０に接続されるビデオデッキ２０から映像信号としてビデオ信号を入力するにあたり、リモコン１７等にて外部モードが選択されると、マイコン１５に配設された外部モード信号出力端子１５ｂから信号制御回路３０に外部モード信号を出力する。ここで、第１トランジスタ３４は、エミッタ側が接地され、第２ダイオード３２のアノード側に接続されたコレクタ側にて抵抗Ｒ４〜Ｒ８を介してヒータ巻線信号を入力可能になっている。また、ベース側は抵抗Ｒ９を介して第３トランジスタ３３のコレクタ側に接続されている。
【００４１】
第２トランジスタ３５は、ベース側に抵抗Ｒ１０を介して外部モード信号が入力され、エミッタ側が接地され、第１ダイオード３１のアノード側に接続されたコレクタ側にて水平同期信号を入力可能になっている。第３トランジスタ３３は、ベース側に抵抗Ｒ１１を介して上記外部モード信号が入力され、エミッタ側が接地され、コレクタ側が所定電圧を出力する電源（抵抗Ｒ１２を介して第３トランジスタ３３および第２トランジスタ３５のベース側に接続されている。）に接続されている。このとき、電源とコレクタ側は抵抗Ｒ１３が介在され、適宜減圧されている。かかる信号制御回路３０は、マイコン１５から外部モード信号が出力された場合（ステップＳ３０５）、第２トランジスタ３５をオンさせて（ステップＳ３１０）、コレクタ側にて入力する水平同期信号をエミッタ側に短絡する（ステップＳ３１５）。
【００４２】
これによって、外部モード時はマイコン１５に対する水平同期信号の入力が遮断される。また、信号制御回路３０は、外部モード信号が出力された場合、第３トランジスタ３３をオンさせて（ステップＳ３２０）、第１トランジスタ３４をオスにして短絡させることにより（ステップＳ３２５）、ヒータ巻線信号を第２ダイオード３２を介してマイコン１５に入力させる（ステップＳ３３０）。そして、マイコン１５にて同ヒータ巻線信号に基づいて映像信号の有無状態を判定させる（ステップＳ３３５）。
【００４３】
すなわち、マイコン１５は図１０に示すように常時Ｈレベルのヒータ巻線信号に基づいて映像信号の有無状態を判定するため、ＳＤ信号を常時Ｈレベルに制御することが可能となる。従って、このＳＤ信号に基づいてクロマＩＣ１４は基準発振周波数を３．５８ＭＨｚに固定するため、正確な色復調を実現することが可能になり、ビデオデッキ２０の再生時において、安定した色復調を行うことが可能になる。一方、信号制御回路３０はマイコン１５から上記外部モード信号が出力されない場合（ステップＳ３０５）、第２トランジスタ３５をオフして短絡させ（ステップＳ３４０）、水平同期信号をマイコン１５に入力させる（ステップＳ３４５）。
【００４４】
また、第３トランジスタ３３をオフして短絡させることによって（ステップＳ３５０）、第１トランジスタ３４をオンさせることにより（ステップＳ３５５）、ヒータ巻線信号を第１トランジスタ３４に対して導通させる。すなわち、ヒータ巻線信号のマイコン１５に対する入力を遮断する（ステップＳ３６０）。このように、第２トランジスタ３５を短絡させて水平同期信号をマイコン１５に入力させることによって、水平同期信号に基づいて映像信号の有無状態を判定させる（ステップＳ３６５）。すなわち、外部モードでない場合は、通常のＲＦ入力に基づいた基準発振周波数の制御を行うことを可能にする。
【００４５】
（５）まとめ：
このように、外部モード時に信号制御回路３０の回路制御に基づいてクロマＩＣ１４が出力する水平同期信号のマイコン１５への入力を遮断し、フライバックトランス１８が出力する常時Ｈレベルに制御されたヒータ巻線信号をマイコン１５に入力させる。そして、マイコン１５にてこのヒータ巻線信号に基づいてＳＤ判定を実行可能とすることによって、安定してＳＤ信号をクロマＩＣ１４に入力可能とする。これによって、クロマＩＣ１４は外部モード時に常時基準発振周波数をカラーバースト信号周波数の３．５８ＭＨｚに固定することが可能となるため、色消えを防止することが可能になる。
【図面の簡単な説明】
【図１】テレビジョンの概略構成を示したブロック構成図である。
【図２】クロマＩＣの内部構成を示したブロック構成図である。
【図３】マイコンにて実行されるＳＤ信号出力処理の処理内容を示したフローチャートである。
【図４】水平同期信号の信号構成の概略を示した図である。
【図５】クロマＩＣのＡＰＣ回路の動作内容を示した動作フローである。
【図６】マイコンとクロマＩＣおよびフライバックトランスとの接続関係を示した図である。
【図７】ヒータ巻線信号の信号構成の概略を示した図である。
【図８】信号制御回路の内部構成を示した構成図である。
【図９】信号制御回路の動作内容を示した動作フローである。
【図１０】ヒータ巻線信号に基づいたＳＤ信号の信号構成の概略を示した図である。
【符号の説明】
１０…テレビジョン
１１…チューナ
１２…ＳＡＷフィルタ
１３…バッファ
１４…クロマＩＣ
１４ａ…ＶＩＦ回路
１４ｂ…信号処理回路
１４ｂ１…ＰＬＬ回路
１４ｂ１１…帯域増幅回路
１４ｂ１２…バースト増幅回路
１４ｂ１３…ＡＰＣ回路
１４ｂ１４…ＶＣＯ回路
１４ｂ２…色復調回路
１４ｃ…水平同期信号出力端子
１５…マイコン
１５ａ…水平同期信号入力端子
１５ｂ…外部モード信号出力端子
１６…ＩＩＣバス
１７…リモコン
１８…フライバックトランス
１８ａ…ヒータ巻線信号出力端子
１９…ＣＲＴ
２０…ビデオデッキ
３０…信号制御回路
３１…第１ダイオード
３２…第２ダイオード
３３…第１トランジスタ
３４…第２トランジスタ
３５…第３トランジスタ
【図１】
2004260276.tif 000003
【図２】
2004260276.tif 000004
【図３】
2004260276.tif 000005
【図４】
2004260276.tif 000006
【図５】
2004260276.tif 000007
【図６】
2004260276.tif 000008
【図７】
2004260276.tif 000009
【図８】
2004260276.tif 000010
【図９】
2004260276.tif 000011
【図１０】
2004260276.tif 000012